(57)【特許請求の範囲】
【請求項１】
それぞれ板状に形成される底面部と、左側面部と、右側面部と、前面部と、後面部と、を有するトレー本体と、
前記左側面部及び前記右側面部のそれぞれに対向する机等の家具側に、平坦面が外方向に向くようにして固定され、被係止部が下端部に形成される固定プレートと、
前記左側面部及び前記右側面部の外側にそれぞれ設けられ、下方が前後方向に搖動されるよう回動自在に支持されて、各前記被係止部と係脱される係止部が形成されるラッチ本体と、
各前記被係止部に各前記係止部が係止される状態となるよう各前記ラッチ本体を付勢する付勢部材と、
前記トレー本体の前記前面部前方に設けられ、下端が前後方向に搖動されるよう回動自在に支持されて、左右長尺状に形成されて両端部で各前記ラッチ本体と係合して各前記ラッチ本体を搖動動作させる操作部材と、
前記ラッチ本体と前記操作部材とを回動可能に軸支する支持軸が形成されるとともに、各前記ラッチ本体を外側からカバーするカバー部材と、
を有することを特徴とするラッチ装置。
【請求項２】
前記被係止部は、前記固定プレートの前記下端部から下方に突出し、前側縁の下方を上方よりも後方側に位置させるように傾斜して形成され、
前記ラッチ本体は、前記支持軸により軸支される軸孔を備えて前記被係止部に向けて傾斜して形成される傾斜部と、前記傾斜部から水平後方に延設されて前記被係止部が遊嵌される孔部が備えられる水平部と、からなることを特徴とする請求項１に記載のラッチ装置。
【請求項３】
前記操作部材は、縦断面視において前側板部と後側板部がそれぞれの上端部で円弧状部を介して接続されてなり、
前記前側板部の下端部は、縦断面視において前方に向けて水平に折り曲げられて、端縁を下方に向けて縦断面視円形状に折り曲げて形成され、
前記後側板部の下端部は、前方側に向けて縦断面視円形状に折り曲げて形成され、
前記後側板部は、その両端部において各前記ラッチ本体と係合されることを特徴とする請求項１又は請求項２に記載のラッチ装置。
【発明の詳細な説明】
【技術分野】
【０００１】
本発明は、事務用机等の事務用の家具の引き出しに用いられるラッチ装置に関する。
【背景技術】
【０００２】
従来から、地震などの大きな振動によって、事務用机等の家具の引き出しが意図せず引き出されてしまわないように引き出しに取り付けるラッチ装置が開示されている。例えば、特許文献１に開示される引き出しのラッチ装置は、下端が前後方向に搖動操作される前化粧板と、この前化粧板と当接される操作片及びこの操作片に対してラッチ軸回りに９０度ずれて操作片と一体的に形成されるラッチ片を有するラッチ本体が、ラッチ軸を上下方向に支持されて引き出しの左右にそれぞれ設けられている。
【０００３】
ラッチ片には爪片が形成されている。この爪片は、引き出し側面に対向する机本体の内側面に開けられるラッチ孔に係止される。そして、ラッチ本体のラッチ軸は、引き出し前部の左右外側から取り付けられるラッチ取付具に形成されるラッチ軸抱持部により上下方向に支持され回動自在とされる。ラッチ本体は、一体的に形成されるばね片により、爪片とラッチ孔が係止される方向に付勢されている。このようにして、ラッチ片は前化粧板の搖動操作により水平方向に搖動される。そして、ラッチ本体は、爪片がラッチ孔に係合する向きにばね片により付勢されている。
【先行技術文献】
【特許文献】
【０００４】
【特許文献１】特開平１１−１６４７４８号公報
【発明の概要】
【発明が解決しようとする課題】
【０００５】
特許文献１に係るラッチ装置では、ラッチ片が水平方向に動作してラッチ孔に対してラッチ爪が係脱される。従って、操作片とラッチ片はラッチ軸周りに９０度ずれた形態となるため、ラッチ本体は大型な部材となってしまう。
【０００６】
そして、ラッチ軸を支持するラッチ軸抱持部を備えるラッチ取付具は、ラッチ本体の操作片及びこの操作片と当接する前化粧板の当接部分を覆うことはできるが、ラッチ爪とラッチ孔との係止部を覆うことは難しい。ラッチ爪とラッチ孔との係止部を覆うようにカバー部材を形成すると、水平方向に張り出した形態となってしまい、ラッチ装置や引き出しが大型化してしまう。
【０００７】
また、ラッチ爪とラッチ孔との係止部が覆われていない場合には、この係止部にゴミや机の中のものがラッチ孔に入り込んでしまうと、このラッチ装置は正常に動作しない場合がある。また、引き出しを引いた場合にラッチ爪の周辺部分が外に現れているため、見栄えが良いものとは言い難いものであった。
【０００８】
本発明の目的は、小型化を実現し、ゴミ等の侵入による動作不良を低減させて、見栄えの良いラッチ装置を提供する。
【課題を解決するための手段】
【０００９】
本発明に係るラッチ装置は、それぞれ板状に形成される底面部と、左側面部と、右側面部と、前面部と、後面部と、を有するトレー本体と、前記左側面部及び前記右側面部のそれぞれに対向する机等の家具側に、平坦面が外方向に向くようにして固定され、被係止部が下端部に形成される固定プレートと、前記左側面部及び前記右側面部の外側にそれぞれ設けられ、下方が前後方向に搖動されるよう回動自在に支持されて、各前記被係止部と係脱される係止部が形成されるラッチ本体と、各前記被係止部に各前記係止部が係止される状態となるよう各前記ラッチ本体を付勢する付勢部材と、前記トレー本体の前記前面部前方に設けられ、下端が前後方向に搖動されるよう回動自在に支持されて、左右長尺状に形成されて両端部で各前記ラッチ本体と係合して各前記ラッチ本体を搖動動作させる操作部材と、前記ラッチ本体と前記操作部材とを回動可能に軸支する支持軸が形成されるとともに、各前記ラッチ本体を外側からカバーするカバー部材と、を有する。
【００１０】
また、前記被係止部は、前記固定プレートの前記下端部から下方に突出し、前側縁の下方を上方よりも後方側に位置させるように傾斜して形成され、前記ラッチ本体は、前記支持軸により軸支される軸孔を備えて前記被係止部に向けて傾斜して形成される傾斜部と、前記傾斜部から水平後方に延設されて前記被係止部が遊嵌される孔部が備えられる水平部と、からなる。
【００１１】
また、前記操作部材は、縦断面視において前側板部と後側板部がそれぞれの上端部で円弧状部を介して接続されてなり、前記前側板部の下端部は、縦断面視において前方に向けて水平に折り曲げられて、端縁を下方に向けて縦断面視円形状に折り曲げて形成され、前記後側板部の下端部は、前方側に向けて縦断面視円形状に折り曲げて形成され、前記後側板部は、その両端部において各前記ラッチ本体と係合される。
【発明の効果】
【００１２】
本発明に係るラッチ装置は、机等の家具側に固定される固定プレート下端部の被係止部と、操作部材により前後方向に揺動されるラッチ本体の係止部とが係止される。従って、水平方向に揺動されるラッチ本体と比べて、ラッチ本体を小型化させることができるので、ラッチ装置全体、ひいては机等の家具全体も小型に形成することができる。
【００１３】
また、前後方向に揺動するラッチ本体に係止部を設け、固定プレートに被係止部を設けて、ラッチ本体を外側からカバーするカバー部材を設けた。これにより、係止部と被係止部が係止される係止部分を容易に覆い隠すことができるので、ゴミ等の侵入を防ぎ、動作不良を低減させることができるとともに、見栄えを良くすることができる。
【００１４】
また、被係止部は固定プレート下端部から下方に突出して前側縁が傾斜される。そして、係止部とされる孔はラッチ本体の水平部に形成した。従って、引き出しを引き出す際には、操作部材によりラッチ本体の水平部を前下方に移動させて係止を解除し、引き出しをしまう際には水平部先端が被係止部の傾斜する前側縁に当接し、この前側縁に倣って下方に移動して係止部と被係止部が係止されるので、自動的に係止部と被係止部を係止させることができる。
【００１５】
また、操作部材は、前側板部と後側板部がそれぞれ上端部で円弧状部を介して接続して形成される。そして、前側板部と後側板部それぞれの下端部は、縦断面視円弧形状に折り曲げられている。従って、操作部材の操作は、前側板部と後側板部との間に指を入れて操作することができるとともに、前側板部及び後側板部における他端部の縦断面視円形状により感触良く操作部材を操作することができる。さらに、後側板部の両端でラッチ本体と係合されるので、構造簡単に操作部材からラッチ本体に揺動運動を伝達する機構を形成することができるとともに、左右のラッチ本体の揺動動作に位相ずれが発生することがない。従って、確実にラッチ装置を動作させることができる。
【図面の簡単な説明】
【００１６】
【図１】本発明の実施形態に係るラッチ装置を備える机を示す斜視図であり、（ａ）は引き出しがしまわれている状態を示し、（ｂ）は引き出しが引き出された状態を示す。
【図２】本発明の実施形態に係るラッチ装置を備える引き出しの斜視図である。
【図３】本発明の実施形態に係るラッチ装置を備える引き出しの要部拡大分解斜視図である。
【図４】本発明の実施形態に係るラッチ装置の要部拡大斜視図である。
【図５】本発明の実施形態に係るラッチ装置が係合している状態を示し、左側のカバー部材を省略した左側面図である。
【図６】本発明の実施形態に係るラッチ装置の係合が解除されている状態を示し、左側のカバー部材を省略した左側面図である。
【発明を実施するための形態】
【００１７】
以下、図に基づいて本発明の実施形態を説明する。本発明に係るラッチ装置３０Ａ，３０Ｂは、図１（ａ），（ｂ）に示す事務用机１等に取り付けて、地震等の際に意図せず引き出し１００，２００が引き出されてしまうことを防ぐものである。なお、以下の説明においては、事務用机１の人が座る側を前、その反対側を後とし、人が座った場合の左手側を左、右手側を右として説明する。
【００１８】
左側のラッチ装置３０Ａは引き出し１００の左側に設けられ、右側のラッチ装置３０Ｂは引き出し１００の右側に設けられる。引き出し１００よりも横幅の狭い引き出し２００にも同様に、ラッチ装置３０Ａ，３０Ｂが左右にそれぞれ設けられている。
【００１９】
図２は引き出し１００及びトレーレール２を前方左上上方から見た斜視図である。トレーレール２は、図１の事務用机１に固定されて引き出し１００を案内する。トレーレール２は、左右２箇所に設けられ、それぞれ水平板２ａと、外側の垂直板２ｂからなる。各垂直板２ｂの下端からは、後述の後ローラ１６を案内する後ローラレール２ｂ１が凹溝状に形成されている。そして、左右それぞれの垂直板２ｂの前端には、後述の固定プレート４０とともに、回転軸を左右方向に向けて配置される前ローラ３が設けられている。
【００２０】
引き出し１００のトレー本体１８は、底面部１１と、後面部１２と、左側面部１３と、右側面部１４と、前面部１５とにより構成される。本実施形態においては、底面部１１と後面部１２，前面部１５は、一枚の板金材料からプレス成形により一体的に形成されている。前面部１５は、底面部１１の前端から上方に立ち上がる断面円弧状の膨出部１５ａと、膨出部１５ａの前端から前方側に延びる平坦部１５ｂと、平坦部１５ｂから前上方に向けて傾斜される傾斜部１５ｃ（図３参照）からなる。この前面部１５に膨出部１５ａと平坦部１５ｂが形成されることにより、引き出し１００の使用の際、平坦部１５ｂに筆記具等を載置してもトレー本体１８の奥に移動してしまうことがない。
【００２１】
後面部１２は、垂直に立ち上げられた垂直板１２ａの上端を前方に折り曲げられる水平板１２ｂが形成されている。これにより、トレー本体１８に収納した物がトレー本体１８の後側から落ちてしまうことが低減される。
【００２２】
左側面部１３及び右側面部１４は、図２の引き出し１００においては右側後方に一部が見えるように、それぞれ前後に長い水平板１３ａ，１４ａを備える。水平板１３ａ，１４ａは、後端が後面部１２よりも後方側に位置され、前端は、図示されないが、底面部１１の前端近傍まで延在する。水平板１３ａ，１４ａは、底面部１１の下面にスポット溶接やカシメ加工されることにより接合される。
【００２３】
さらに、左側面部１３及び右側面部１４は、水平板１３ａ，１４ａの外側端から立ち上がり、後端を水平板１３ａ，１４ａと同じくして前端は前面部１５まで延在される垂直板１３ｂ，１４ｂを備える。このようにして、左側面部１３及び右側面部１４は、水平板１３ａ，１４ａと垂直板１３ｂ，１４ｂから形成されている。垂直板１３ｂ，１４ｂの後端外側には、それぞれ後ローラ１６が回転軸を左右方向に向けて設けられている。
【００２４】
左側面部１３及び右側面部１４は、それぞれ垂直板１３ｂ，１４ｂの上端を外側方向へ折り曲げて、開口を下方に向けた凹溝状の前ローラレール１３ｂ１，１４ｂ１が形成されている。この前ローラレール１３ｂ１，１４ｂ１は、前ローラ３により支持されるとともに前ローラ３上を移動する。
【００２５】
図３及び図４に示すように、トレー本体１８の前面部１５における傾斜部１５ｃの上端は、下側に開口される縦断面コ字状にされる折り曲げ部１５ｃ１が形成されている。一方、前面部１５の前側に取り付けられるトレー前板２０は、多数の横溝が施された化粧板面２０ａの上端に、折り曲げ部１５ｃ１の外形に倣う形状とされる取着部２０ｂが形成される。トレー前板２０は、取着部２０ｂが折り曲げ部１５ｃ１に取着して、トレー本体１８の前面部１５に取り付けられる。
【００２６】
そして、トレー前板２０の取着部２０ｂの下方には、後述のラッチレバー２１の円弧状部２１ｂの外形に倣う縦断面視半円弧状のラッチレバーガイド部２０ｃが形成されている。このラッチレバーガイド部２０ｃにより、ラッチレバー２１の搖動運動が案内されている。さらに、ラッチレバーガイド部２０ｃの基部下側には、縦断面視において一部が切り欠かれた円形状の取着孔部２０ｄが形成されている。
【００２７】
トレー本体１８の前面部１５の前方には、操作部材とされるラッチレバー２１が設けられる。ラッチレバー２１は、左右に長い長尺状に形成されている。そして、図３のＰ部拡大図に示すように、ラッチレバー２１は、縦断面視において前側板部２１ａと後側板部２１ｃがそれぞれの上端部で円弧状部２１ｂを介して接続されてなる。
【００２８】
前側板部２１ａの下端部は、前方側に向けて縦断面視において水平に折り曲げられ、その前端は端縁を下方に向けて縦断面視円形状に折り曲げられる前縁部２１ａ１が形成されている。同様に、後側板部２１ｃの下端部も、前方側に向けて縦断面視円形状に折り曲げられる後縁部２１ｃ１が形成されている。さらに、後側板部２１ｃは、その両端に張り出し形成される張出係合部２１ｃ２が形成されている。
【００２９】
トレー本体１８の左側面部１３及び右側面部１４の外側には、それぞれラッチ本体３１が設けられている。各ラッチ本体３１は、後下方に向けて傾斜して延設される傾斜部３１ａと、この傾斜部３１ａの下端から後方に向けて水平に延設される水平部３１ｂにより形成されている。傾斜部３１ａには軸孔３１ａ１が設けられている。水平部３１ｂには、上面視長方形の孔部３１ｂ１が開けられている。さらに、孔部３１ｂ１の前方内側縁であって水平部３１ｂの前後方向における略中間位置に、上方側に向けて板状に立設する揺動ガイド部３１ｂ２が形成されている。
【００３０】
また、この左右のラッチ本体３１の外側には、それぞれカバー部材３３が設けられている。各カバー部材３３は、外表面を構成する外面板３３ｆが設けられている。外面板３３ｆは、外側の面となる側面板と、上面板と、上面板前縁と接続されて前面に位置して多数の横溝が施された化粧面板と、化粧面板の下縁と接続される段部下面板と、段部下面板と接続される傾斜板と、傾斜板と接続される下面板と、により構成される。
【００３１】
そして、各カバー部材３３は、外面板３３ｆの側面板に対して内側（換言すれば、ラッチ本体３１側）方向に対向して間隔Ｓ（図３における右側のカバー部材３３参照）を有して設けられる基部板３３ｄ１を備える。各カバー部材３３は、それぞれ左右の各ラッチ本体３１における軸孔３１ａ１を含む傾斜部３１ａ，孔部３１ｂ１を含めた水平部３１ｂをカバーするように形成されている。
【００３２】
そして、各カバー部材３３には、外面板３３ｆの側面板の内面から内側に向けて支持軸３３ａが立設される。この支持軸３３ａは、軸孔３１ａ１及びラッチレバー２１の円弧状部２１ｂの内側に挿通され、ラッチ本体３１及びラッチレバー２１の両者をともに回動自在に軸支する。
【００３３】
そして、各カバー部材３３と各ラッチ本体３１との間には、各ラッチ本体３１を後方向に付勢する付勢部材である、ねじりコイルばね３２が設けられている。ねじりコイルばね３２の腕部３２ａ，３２ｂのうち、一方の腕部３２ａは、各カバー部材３３の内面に設けられるばね保持部３３ｂにより保持される。ばね保持部３３ｂは、カバー部材３３の内面から立設する２枚の平板により形成され、この２枚の平板間に腕部３２ａが保持される。また、ねじりコイルばね３２の他方の腕部３２ｂは、ラッチ本体３１の傾斜部３１ａの前面に当接する（図４参照）。
【００３４】
なお、各カバー部材３３の側面板の内面に立設する突起３３ｃは、トレー前板２０の取着孔部２０ｄと嵌合する。同様に、各カバー部材３３の外面板３３ｆの側面板の内面に立設する突起３３ｄは左側面部１３及び右側面部１４の前端部近傍に開けられる孔１３ｃ，１４ｃと嵌合する。そして、各カバー部材３３の外面板３３ｆの側面板の内面に設けられるねじ孔３３ｅに、左側面部１３及び右側面部１４における前端部上方の孔を介してねじ部材１３ｄ，１４ｄが螺合される。
【００３５】
そして、ラッチ本体３１の水平部３１ｂは、各カバー部材３３の突起３３ｄの基部板３３ｄ１と、外面板３３ｆとの間に形成される間隔Ｓに位置するように各カバー部材３３は取り付けられる（図４参照）。このようにして、各カバー部材３３は、各ラッチ本体３１の外側からトレー本体１８に対して相対的に固定される。従って、ラッチ本体３１の揺動ガイド部３１ｂ２は、カバー部材３３の基部板３３ｄ１よりも外側に位置している（図４参照）。すなわち、揺動ガイド部３１ｂ２は、基部板３３ｄ１と近接又は摺接し、ラッチ本体３１の支持軸３３ａ周りの揺動運動をガイドする。
【００３６】
左側面部１３及び右側面部１４それぞれに対向する事務用机１側に設けられる各トレーレール２の垂直板２ｂの前端に、平坦面４０ａが外方向に向くように固定プレート４０が固定されている。固定プレート４０の下端部は内側に向けて水平に折り曲げられ、その端部には下方に突出する突起部４０ｂが形成されている（図５、図６参照）。突起部４０ｂは、突起部４０ｂの前側縁の下方が上方よりも後方側に位置するように傾斜している。突起部４０ｂの下縁は、前側縁と接続されて水平な下側縁とされ、この下側縁の後端は、上方に垂直に延びる後側縁と接続されている。突起部４０ｂは、ラッチ本体３１の孔部３１ｂ１に遊嵌される。ここで、突起部４０ｂはラッチ装置３０Ａ，３０Ｂにおける被係止部とされ、孔部３１ｂ１は係止部とされ、両者は係脱自在に形成される。
【００３７】
このように形成されるラッチ装置３０Ａ，３０Ｂは、引き出し１００が事務用机１にしまわれている状態においては、左側のカバー部材３３を省略してねじりコイルばね３２は腕部３２ａ，３２ｂのみ示した側面図である図５に示すように、突起部４０ｂが孔部３１ｂ１に遊嵌され、ラッチ装置３０Ａ，３０Ｂは係合状態とされる。このとき、ラッチ本体３１は、付勢部材である、ねじりコイルばね３２により後方向（換言すれば、図５において時計回り）に付勢される。ラッチ本体３１は、突起部４０ｂの傾斜する前側縁と孔部３１ｂ１の前縁が当接して、回動が規制される。そして、ラッチレバー２１両端の張出係合部２１ｃ２は、各ラッチ本体３１の傾斜部３１ａの上側に当接する。このようにして、ラッチレバー２１は、その両端部において各ラッチ本体３１と係合している。
【００３８】
従って、図５に示すラッチ装置３０Ａ，３０Ｂの係合状態において、地震等の振動が事務用机１に生じたとしても、ラッチ装置３０Ａ，３０Ｂが係合状態とされているので、意図せず引き出し１００が引き出されてしまうことがない。
【００３９】
次に、この引き出し１００を引き出す場合には、図５と同様に左側のカバー部材３３とねじりコイルばね３２の本体部分が省略された図６に示すように、ラッチレバー２１の前側板部２１ａの後側に指を挿入してラッチレバー２１を手前に引いて、ラッチレバー２１を前上方に向けて（換言すれば、図６において反時計回りに）支持軸３３ａ周りに回動させる。すると、ラッチレバー２１の両端の張出係合部２１ｃ２を介して、ねじりコイルばね３２の付勢力に抗してラッチ本体３１が前下方に向けて支持軸３３ａ周りに回動する。このとき、左右のラッチ本体３１は、左右長尺状のラッチレバー２１により、位相ずれなく回動される。
【００４０】
ラッチ本体３１が回動されると、被係合部とされる突起部４０ｂが係合部とされる孔部３１ｂ１から脱して、係合状態が解除される。なお、ラッチ本体３１の前下方に向けた回動は、水平部３１ｂの先端部の下面が、水平部３１ｂの下面と対向して設けられるカバー部材３３の下面板の内面と当接するまで回動される。
【００４１】
このようにして、ラッチ装置３０Ａ，３０Ｂの係合状態が解除されると、引き出し１００を事務用机１から引き出すことができる。このとき、左側面部１３及び右側面部１４の前ローラレール１３ｂ１，１４ｂ１は、各前ローラ３上を移動する。各後ローラ１６は、各後ローラレール２ｂ１上を転動して、トレー本体１８とともに前進する。
【００４２】
そして、引き出し１００を閉じる場合には、引き出し１００をそのまま押し込めば、ラッチ本体３１の水平部３１ｂの先端部が、突起部４０ｂの傾斜する前側縁に当接するので、ラッチ本体３１の水平部３１ｂは突起部４０ｂの前側縁の傾斜に倣って下方に移動する。そして、さらに引き出し１００を押し込めば、突起部４０ｂが孔部３１ｂ１に遊嵌され、図５に示す係合状態となる。
【００４３】
以上説明した本実施形態に係るラッチ装置３０Ａ，３０Ｂは、左右それぞれのラッチ本体３１，カバー部材３３及び固定プレート４０が互いに対称な部品となる。また、幅の狭い引き出し２００（図１参照）についても、トレー前板２０及びラッチレバー２１の左右方向の長さを変更するだけでラッチ装置３０Ａ，３０Ｂを取り付けることができる。
【００４４】
さらに、トレー本体１８の深さがさらに深い引き出しである場合であっても、本発明に係るラッチ装置３０Ａ，３０Ｂを取り付けることができる。従って、異なる幅や深さの引き出しが取り付けられる事務用机等の家具であっても、ラッチ装置を構成する部品を共通化することができる。
【００４５】
以上、本発明の実施形態を説明したが、本発明は本実施形態に限られず、種々変更して実施することができる。例えば、被係止部とされる固定プレート４０の突起部４０ｂを変更して、固定プレート４０から内側に折り曲げられた水平部に孔を設けて被係止部を形成する。一方、係止部とされるラッチ本体３１の水平部３１ｂの孔部３１ｂ１は、爪状の突起として係止部を形成する。このように、本実施形態における被係止部と係止部について、孔と突起の関係を逆にした構成としてもよい。また、本実施形態におけるねじりコイルばね３２は、他の付勢部材として、コイルばね等の他の形態のばねやゴム等の弾性体を用いることもできる。
【符号の説明】
【００４６】
１        事務用机                      ２        トレーレール
２ａ      水平板                        ２ｂ      垂直板
２ｂ１    後ローラレール                ３        前ローラ
１１      底面部                        １２      後面部
１２ａ    垂直板                        １２ｂ    水平板
１３      左側面部                      １３ａ    水平板
１３ｂ    垂直板                        １３ｂ１  前ローラレール
１３ｃ    孔                            １３ｄ    ねじ部材
１４      右側面部                      １４ａ    水平板
１４ｂ    垂直板                        １４ｂ１  前ローラレール
１４ｃ    孔                            １４ｄ    ねじ部材
１５      前面部
１５ａ    膨出部                        １５ｂ    平坦部
１５ｃ    傾斜部                        １５ｃ１  折り曲げ部
１６      後ローラ                      １８      トレー本体
２０      トレー前板                    ２０ａ    化粧板面
２０ｂ    取着部                        ２０ｃ    ラッチレバーガイド部
２０ｄ    取着孔部
２１      ラッチレバー
２１ａ    前側板部                      ２１ａ１  前縁部
２１ｂ    円弧状部                      ２１ｃ    後側板部
２１ｃ１  後縁部                        ２１ｃ２  張出係合部
３０Ａ    ラッチ装置                    ３０Ｂ    ラッチ装置
３１      ラッチ本体
３１ａ    傾斜部                        ３１ａ１  軸孔
３１ｂ    水平部                        ３１ｂ１  孔部
３１ｂ２  揺動ガイド部                  ３２      ねじりコイルばね
３２ａ    腕部                          ３２ｂ    腕部
３３      カバー部材                    ３３ａ    支持軸
３３ｂ    ばね保持部                    ３３ｃ    突起
３３ｄ    突起                          ３３ｄ１  基部板
３３ｅ    ねじ孔                        ３３ｆ    外面板
４０      固定プレート                  ４０ａ    平坦面
４０ｂ    突起部                        １００    引き出し
２００    引き出し
【図１】
0006407008.tif 000002
【図２】
0006407008.tif 000003
【図３】
0006407008.tif 000004
【図４】
0006407008.tif 000005
【図５】
0006407008.tif 000006
【図６】
0006407008.tif 000007